(57)【要約】【課題】吸収性物品を着用者の身体の下から取り除く際に、把持部および把持部近傍の部位が破損してしまうことを防止する。【解決手段】吸収性物品１は、撥水性または不透液性のバックシート、バックシート上に配置される吸収コア２２、吸収コア２２の上面を覆う透液性のトップシート、および、吸収コア２２の下面とバックシートとの間にてバックシートに接合される帯状の補強部材２４を備える。吸収性物品１の交換が行われる際には、角部１１１が把持されて着用者の身体の下から吸収性物品１が引っ張り出される。吸収性物品１では、把持部である角部１１１から吸収コア２２の下面と重なる位置へと伸びる補強部材２４が設けられることにより、把持部および把持部近傍の部位の引張強度が向上され、吸収性物品１が着用者の身体の下から取り除かれる際に、把持部および把持部近傍の部位が破損してしまうことを防止することができる。【選択図】図１
2011010790.tif 000002
【特許請求の範囲】
【請求項１】
着用者からの排泄物を受ける吸収性物品であって、
防水シートと、
前記防水シートの中央に配置される吸収コアと、
前記吸収コアの上面を覆うトップシートと、
前記防水シートに直接的または間接的に重ねられて接合される補強部材と、
を備え、
前記防水シートの外縁部が、前記着用者の身体の下から吸収性物品が取り除かれる際に把持される把持部を有し、
前記補強部材が、前記把持部から少なくとも前記吸収コアの下面と重なる位置まで伸びる帯状の部材であることを特徴とする吸収性物品。
【請求項２】
請求項１に記載の吸収性物品であって、
前記把持部が、着用者の前側または後側に対応する前記防水シートの一方の端部の角部であり、
前記補強部材が、前記防水シートの他方の端部に向かって伸びることを特徴とする吸収性物品。
【請求項３】
請求項２に記載の吸収性物品であって、
前記防水シートに直接的または間接的に重ねられて接合されるもう１つの補強部材をさらに備え、
前記もう１つの補強部材が、前記防水シートの前記一方の端部の他の角部から前記防水シートの前記他方の端部に向かって、少なくとも前記吸収コアの前記下面と重なる位置まで伸びる帯状の部材であり、
前記補強部材と前記もう１つの補強部材とが、前記防水シートの中央に向かうに従って漸次近づくことを特徴とする吸収性物品。
【請求項４】
請求項３に記載の吸収性物品であって、
前記補強部材と前記もう１つの補強部材とが交差することを特徴とする吸収性物品。
【請求項５】
請求項１に記載の吸収性物品であって、
前記把持部が、着用者の前側または後側に対応する前記防水シートの一方の端部において前記防水シートの長手方向に突出する部位であることを特徴とする吸収性物品。
【請求項６】
請求項１ないし５のいずれかに記載の吸収性物品であって、
前記補強部材の長手方向の長さが、前記防水シートの前記長手方向の長さの半分以上であることを特徴とする吸収性物品。
【請求項７】
請求項６に記載の吸収性物品であって、
前記補強部材が、前記防水シートのおよそ全長に亘って設けられることを特徴とする吸収性物品。
【請求項８】
請求項１ないし７のいずれかに記載の吸収性物品であって、
前記補強部材が、シート状の樹脂部材であることを特徴とする吸収性物品。
【請求項９】
請求項１ないし８のいずれかに記載の吸収性物品であって、
前記把持部に、目印が設けられることを特徴とする吸収性物品。
【請求項１０】
請求項９に記載の吸収性物品であって、
前記目印が、前記把持部とは異なる色を有する前記補強部材の端部であることを特徴とする吸収性物品。
【発明の詳細な説明】
【技術分野】
【０００１】
本発明は、着用者からの排泄物を受ける吸収性物品に関する。
【背景技術】
【０００２】
従来より、使い捨ておむつ等の吸収性物品として、不透液性の防水シートと透液性のトップシートとの間に吸収コアを挟んだ構造のものが利用されている。特許文献１の使い捨ておむつでは、平面視において長方形状の吸収コアの裏面（すなわち、着用者とは反対側の面）を覆うポリエチレンフィルム等により形成された防水フィルムが利用されている。当該防水フィルムでは、両側端部が折り返されるとともにその間に有色のウレタンフィルム等の補強材が配置されて接着されることにより側端部のコシが強くされる。
【０００３】
一方、特許文献２の水様便漏れ防止シートでは、略矩形のシート材の外縁全周にフェルトやウレタンフォーム等により形成された高さ２〜２０ｍｍの外縁フレーム材が接合されることにより、シート材の強度が確保される。特許文献２では、上記の矩形枠状の外縁フレーム材の１つの辺の中央から対向する辺の中央へと伸びる架橋フレーム材が設けられてもよい、と記載されている。
【先行技術文献】
【特許文献】
【０００４】
【特許文献１】特開２００２−２４８１２７号公報
【特許文献２】特開２００８−２２０５２４号公報
【発明の概要】
【発明が解決しようとする課題】
【０００５】
ところで、使い捨ておむつや使い捨ておむつの内側に配置される補助吸収具等の吸収性物品を交換する際には、仰臥位や側臥位等の姿勢を取る着用者の身体の下から、吸収性物品の外縁部を把持して引っ張り出すことにより吸収性物品が取り外される。このとき、吸収性物品には着用者の体重がかかっているため、吸収性物品の外縁部の把持された部位がちぎれたり、当該部位の周囲が裂けてしまうおそれがある。特に近年、吸収性物品のバックシート等は、透湿性向上のために薄型化される傾向にあるため、上記のように把持部がちぎれたり、周囲の部位が裂けてしまう可能性は高くなっている。
【０００６】
特許文献１の補強材は、吸収コアの両側端部に重なるように設けられており、吸収コアよりも外側に大きく広がるバックシートに設けられるものではないため、使い捨ておむつを着用者の身体の下から引っ張り出す際に、上述のようにバックシートの把持された部位がちぎれてしまうおそれがある。特許文献２のフレーム材は、シート材と着用者の身体との間に空間を形成することを目的として吸収性物品の外縁に沿って設けられており、吸収性物品を着用者の身体の下から引っ張り出すことは考慮されていない。仮に、特許文献２の水様便漏れ防止シートを着用者の身体の下から引っ張り出そうとすると、フレーム材の引っ張り出す方向の奥の部位が着用者の臀部に引っかかってしまう。
【０００７】
本発明は、上記課題に鑑みなされたものであり、吸収性物品を着用者の身体の下から取り除く際に、把持部および把持部近傍の部位が破損してしまうことを防止することを目的としている。
【課題を解決するための手段】
【０００８】
請求項１に記載の発明は、着用者からの排泄物を受ける吸収性物品であって、防水シートと、前記防水シートの中央に配置される吸収コアと、前記吸収コアの上面を覆うトップシートと、前記防水シートに直接的または間接的に重ねられて接合される補強部材とを備え、前記防水シートの外縁部が、前記着用者の身体の下から吸収性物品が取り除かれる際に把持される把持部を有し、前記補強部材が、前記把持部から少なくとも前記吸収コアの下面と重なる位置まで伸びる帯状の部材である。
【０００９】
請求項２に記載の発明は、請求項１に記載の吸収性物品であって、前記把持部が、着用者の前側または後側に対応する前記防水シートの一方の端部の角部であり、前記補強部材が、前記防水シートの他方の端部に向かって伸びる。
【００１０】
請求項３に記載の発明は、請求項２に記載の吸収性物品であって、前記防水シートに直接的または間接的に重ねられて接合されるもう１つの補強部材をさらに備え、前記もう１つの補強部材が、前記防水シートの前記一方の端部の他の角部から前記防水シートの前記他方の端部に向かって、少なくとも前記吸収コアの前記下面と重なる位置まで伸びる帯状の部材であり、前記補強部材と前記もう１つの補強部材とが、前記防水シートの中央に向かうに従って漸次近づく。
【００１１】
請求項４に記載の発明は、請求項３に記載の吸収性物品であって、前記補強部材と前記もう１つの補強部材とが交差する。
【００１２】
請求項５に記載の発明は、請求項１に記載の吸収性物品であって、前記把持部が、着用者の前側または後側に対応する前記防水シートの一方の端部において前記防水シートの長手方向に突出する部位である。
【００１３】
請求項６に記載の発明は、請求項１ないし５のいずれかに記載の吸収性物品であって、前記補強部材の長手方向の長さが、前記防水シートの前記長手方向の長さの半分以上である。
【００１４】
請求項７に記載の発明は、請求項６に記載の吸収性物品であって、前記補強部材が、前記防水シートのおよそ全長に亘って設けられる。
【００１５】
請求項８に記載の発明は、請求項１ないし７のいずれかに記載の吸収性物品であって、前記補強部材が、シート状の樹脂部材である。
【００１６】
請求項９に記載の発明は、請求項１ないし８のいずれかに記載の吸収性物品であって、前記把持部に、目印が設けられる。
【００１７】
請求項１０に記載の発明は、請求項９に記載の吸収性物品であって、前記目印が、前記把持部とは異なる色を有する前記補強部材の端部である。
【発明の効果】
【００１８】
本発明では、吸収性物品を着用者の身体の下から取り除く際に、把持部および把持部近傍の部位が破損してしまうことを防止することができる。
【図面の簡単な説明】
【００１９】
【図１】吸収性物品の平面図である。
【図２】吸収性物品の断面図である。
【図３】他の吸収性物品の平面図である。
【図４】他の吸収性物品の平面図である。
【発明を実施するための形態】
【００２０】
図１は、本発明の第１の実施の形態に係る吸収性物品１の構成を示す平面図である。吸収性物品１は、着用者が着用する外装物品である使い捨ておむつ等の内側において、着用者からの軟便等の排泄物を受ける補助吸収具である。図１では、着用者に接する面（すなわち、着用者側）を手前側にして吸収性物品１を描いている。
【００２１】
吸収性物品１は、平面視において略矩形状である略シート状の本体部２、および、本体部２の幅方向の両側（すなわち、図１中の左右方向の両側）において幅方向に垂直な長手方向（すなわち、図１中の上下方向）のおよそ全長に亘って設けられた一対のサイドシート３を備える。
【００２２】
本体部２の図１中における上側の部位２０１および下側の部位２０３はそれぞれ、着用者の腹側および背側の肌に接する部位であり、以下の説明では、「前方部２０１」および「後方部２０３」と呼ぶ。また、前方部２０１と後方部２０３との間において前方部２０１および後方部２０３から連続するとともに着用者の股間部に対向する部位２０２を「中間部２０２」と呼ぶ。
【００２３】
吸収性物品１の交換が行われる際には、仰臥位や側臥位等の姿勢を取る着用者の身体の下から、吸収性物品１の外縁部１１のうち前方部２０１の左右どちらかの角部１１１（後述するバックシート２３の外縁部が有する角部でもある。）が把持されて引っ張り出されることにより吸収性物品１が着用者から取り外される。また、伏臥位等の姿勢を取る着用者から吸収性物品１が取り外される際には、吸収性物品１の外縁部１１のうち後方部２０３の左右どちらかの角部１１１が把持され、吸収性物品１が着用者の身体の下から引っ張り出される。このように、吸収性物品１では、本体部２の外縁部１１が有する４つの角部１１１のうち着用者の姿勢等を考慮して最も把持しやすい１つの角部１１１が把持される。換言すれば、長手方向の一方の端部の２つの角部１１１、および、他方の端部の２つの角部１１１が、着用者の身体の下から吸収性物品１が取り除かれる際に把持される把持部となる。
【００２４】
図２は、吸収性物品１を、図１中に示す前方部２０１のＡ−Ａの位置にて、吸収性物品１の長手方向に垂直な面で切断した断面図である。図２に示すように、一対のサイドシート３はそれぞれ、本体部２に接合される帯状の部位である接合部３３、接合部３３に連続するとともに少なくとも一部が起立する側壁部３４、および、側壁部３４の着用者側の端部（すなわち、自由端近傍）に長手方向に沿って接合される弾性部材３２を備える。
【００２５】
サイドシート３は、本体部２の側縁よりも内側にて外方へと折り返され、折り返された部位は、長手方向の両端部（すなわち、前端部および後端部）にて本体部２に接合される。吸収性物品１では、側壁部３４に設けられた弾性部材３２が収縮することにより、本体部２の側方において側壁部３４の長手方向の中央部が着用者側に向かって起立し、着用時に着用者の脚の付け根近傍に当接する立体ギャザーが形成される。
【００２６】
サイドシート３は、疎水性繊維（例えば、ポリプロピレン、ポリエチレン、ポリエステル、ポリアミド、ナイロン）にて形成された撥水性または不透液性の不織布により形成される。サイドシート３を形成する不織布としては、例えば、スパンボンド不織布やメルトブロー不織布、ＳＭＳ（スパンボンド・メルトブロー・スパンボンド）不織布が利用される。本実施の形態では、サイドシート３の目付は１０ｇ以上３０ｇ以下とされる。弾性部材３２としては、例えば、ポリウレタン糸、帯状のポリウレタンフィルム、糸状または帯状の天然ゴム等が用いられ、本実施の形態では、ポリウレタン糸が利用される。
【００２７】
本体部２は、撥水性または不透液性の防水シートであるバックシート２３、バックシート２３の略中央に配置される吸収コア２２、吸収コア２２の上面（すなわち、着用者側の面）を覆う透液性のトップシート２１、および、吸収コア２２の下面とバックシート２３との間においてバックシート２３に直接的に重ねられて接合される２つの帯状かつシート状の補強部材２４を備える。バックシート２３とトップシート２１（または、トップシート２１上に接合されたサイドシート３）とは、吸収コア２２の周囲にてホットメルト接着剤等により互いに接合される。なお、図１では、図の理解を容易にするために、吸収コア２２の輪郭を太い破線にて描いている。
【００２８】
図１に示すように、一方の補強部材２４は、前方部２０１の右側の角部１１１（すなわち、把持部）から、着用者の体重がかかる吸収コア２２の下側を通って後方部２０３の左側の角部１１１に向かって伸びており、他方の補強部材２４は、前方部２０１の左側の角部１１１から吸収コア２２の下側を通って後方部２０３の右側の角部１１１に向かって伸びている。２つの補強部材２４は、バックシート２３の長手方向のおよそ全長に亘って設けられる。２つの補強部材２４は、前方部２０１および後方部２０３から中間部２０２に向かうに従って互いに漸次近づき（すなわち、バックシート２３の長手方向の中央に向かうに従って２つの補強部材２４の間の幅方向の距離が小さくなり）、バックシート２３のおよそ中央にて交差する。
【００２９】
図２に示すトップシート２１は、透液性のシート材料、例えば、親水性繊維により形成された不織布であり、着用者からの排泄物の水分を速やかに捕捉して吸収コア２２へと移動させる。トップシート２１として利用される不織布は、例えば、ポイントボンド不織布やエアスルー不織布、スパンレース不織布であり、これらの不織布を形成する親水性繊維としては通常、セルロースやレーヨン、コットン等が用いられる。なお、トップシート２１として、表面を界面活性剤により親水処理した疎水性繊維（例えば、ポリプロピレン、ポリエチレン、ポリエステル、ポリアミド、ナイロン）にて形成された透液性の不織布が利用されてもよい。本実施の形態では、トップシート２１の目付は１０ｇ以上３０ｇ以下とされる。
【００３０】
吸収コア２２は、粉砕したパルプ繊維やセルロース繊維等の親水性繊維に粒状の吸水性ポリマー（例えば、ＳＡＰ（Super Absorbent Polymer））を混合したものをティッシュペーパーや透液性不織布等により包み込んで形成され、トップシート２１を透過した水分を吸収して迅速に固定する。親水性繊維を包むティッシュペーパーや透液性不織布等は、親水性繊維および吸水性ポリマーとホットメルト接着剤により接合されて、親水性繊維の型崩れ、および、吸水性ポリマーの脱落（特に、吸水後における脱落）を防止する。
【００３１】
バックシート２３としては、疎水性繊維（例えば、ポリプロピレン、ポリエチレン、ポリエステル、ポリアミド、ナイロン）にて形成された撥水性または不透液性の不織布（例えば、スパンボンド不織布やメルトブロー不織布、ＳＭＳ不織布）や、撥水性または不透液性のプラスチックフィルム、あるいは、これらの不織布とプラスチックフィルムとが積層された積層シートが利用され、バックシート２３に到達した排泄物の水分等が、本体部２の外側にしみ出すのを防止する。バックシート２３にプラスチックフィルムが利用される場合、吸収性物品１のムレを防止して着用者の快適性を向上するという観点からは、透湿性（通気性）を有するプラスチックフィルムが利用されることが好ましい。本実施の形態では、バックシート２３の目付は１５ｇ以上４５ｇ以下とされる。
【００３２】
補強部材２４は、好ましくは、ポリプロピレンにより形成され、引張強度は３０Ｎ／１０ｍｍ以上１００Ｎ／１０ｍｍ以下とされる。補強部材２４の幅は、補強部材２４を過剰に厚くすることなく強度を維持するという観点からは、好ましくは５ｍｍ以上とされ、補強部材２４の使用量を抑制して吸収性物品１のコストを低減するという観点からは、好ましくは３０ｍｍ以下とされる。また、補強部材２４の厚さは、補強部材２４の幅を過剰に大きくすることなく強度を維持するという観点からは、好ましくは０．０２ｍｍ以上とされ、補強部材２４の使用量を抑制して吸収性物品１のコストを低減するという観点からは、好ましくは０．１０ｍｍ以下とされる。なお、補強部材２４としては、ポリプロピレン以外の樹脂材料（例えば、ポリエステル、ナイロン、ビニロン）や他の材料により形成された部材が利用されてもよい。
【００３３】
吸収性物品１では、トップシート２１、吸収コア２２、バックシート２３およびサイドシート３が白色とされ、補強部材２４は、白色以外の有色（例えば、青色や緑色）の部材とされる。吸収性物品１の把持部である角部１１１では、補強部材２４の端部が、角部１１１を構成するトップシート２１（または、サイドシート３）、および、バックシート２３とは異なる色を有しており、トップシート２１（または、サイドシート３）を介して、あるいは、バックシート２３を介して視認可能となっている。換言すれば、吸収性物品１では、４つの把持部と異なる色を有する２つの補強部材２４のそれぞれの両端部が、当該４つの把持部に設けられた目印となっている。
【００３４】
吸収性物品１の交換が行われる際には、上述のように、４つの角部１１１（すなわち、把持部）のうち着用者の姿勢等を考慮して最も把持しやすい１つの角部１１１が把持され、着用者の身体の下から吸収性物品１が引っ張り出される。吸収性物品１では、把持部である角部１１１から着用者の体重がかかる吸収コア２２の下面と重なる位置へと伸びる補強部材２４が設けられることにより、把持部および把持部近傍の部位の引張強度が向上される。このため、吸収性物品１が着用者の身体の下から取り除かれる際に、把持部および把持部近傍の部位が破損してしまうことを防止することができる。
【００３５】
また、吸収性物品１では、補強部材２４がバックシート２３の長手方向のおよそ全長に亘って設けられることにより、バックシート２３の強度が全長に亘って向上される。その結果、把持部および把持部近傍の部位の破損がより確実に防止されるとともに、吸収性物品１の前方部２０１および後方部２０３のいずれの角部１１１を把持して引っ張った場合であっても、把持された把持部および把持部近傍の部位の破損を防止することができる。
【００３６】
このように、吸収性物品１では、外縁部１１に設けられる把持部および把持部近傍の部位の破損を防止することができることから、把持部の目付（例えば、把持部である角部１１１にてトップシート２１とバックシート２３とが接合されている場合は、トップシート２１の目付およびバックシート２３の目付の合計であり、接着剤を除くものとする。）が２５ｇ以下である吸収性物品に特に適している。なお、把持部の目付は、バックシート２３等の製造上、１２ｇ以上とされることが好ましい。
【００３７】
本体部２では、前方部２０１の２つの角部１１１から吸収コア２２の下面と重なる位置へと伸びる２つの補強部材２４が、バックシート２３のおよそ中央に向かって互いに漸次近づく。また、当該２つの補強部材２４は、後方部２０３の２つの角部１１１から吸収コア２２の下面と重なる位置へと伸びるとともにバックシート２３の中央に向かって互いに漸次近づく。このように、長手方向および幅方向の双方に関して伸びる２つの補強部材２４が、長手方向の一方および他方の端部に位置する４つの角部１１１からバックシート２３のおよそ中央へと伸びることにより、いずれの角部１１１が把持される場合であっても、また、吸収性物品１がいずれの方向に引っ張られる場合であっても、把持部および把持部近傍の部位の破損がより確実に防止される。
【００３８】
さらに、２つの補強部材２４が、バックシート２３のおよそ中央（吸収コア２２の下面の中央とおよそ一致する。）にて交差してバックシート２３に接合されることにより、バックシート２３の強度が長手方向の全長に亘ってさらに向上され、吸収性物品１が着用者の身体の下から引っ張り出される場合に、把持部および把持部近傍の部位の破損がさらに確実に防止される。
【００３９】
吸収性物品１では、補強部材２４がシート状の部材とされることにより、吸収性物品１の吸収コア２２が存在する部位の厚さが、補強部材２４の厚さにより不均一になることを抑制して吸収性物品１の着用感の低下を防止することができる。また、補強部材２４が樹脂部材とされることにより、吸収性物品１の製造時における補強部材２４の取り扱いが容易とされ、吸収性物品１の製造が簡素化される。さらに、吸収性物品１の廃棄の際に補強部材２４を他の部位と分別する必要が生じないため、吸収性物品１の廃棄を簡素化することもできる。
【００４０】
吸収性物品１では、把持部である角部１１１に目印が設けられることにより、吸収性物品１の取り外しを行う人が、把持部を容易に認識することができる。これにより、吸収性物品１の外縁部１１のうち、把持部以外の部位が把持されることを防止することができ、把持部以外の部位およびその近傍の部位が破損することを防止することができる。また、把持部とは異なる色を有する補強部材２４の端部が上記目印とされることにより、把持部に容易に目印を設けることができ、吸収性物品１の製造を簡素化することができる。
【００４１】
吸収性物品１の使用態様により、吸収性物品１を取り外す際の把持部が吸収性物品１の前方部２０１および後方部２０３の一方の角部１１１に限定されている場合等、２つの補強部材２４は、必ずしもバックシート２３の長手方向のおよそ全長に亘って設けられる必要はなく、前方部２０１または後方部２０３の上記一方に設けられた把持部から、少なくとも吸収コア２２の下面に重なる位置まで伸びていればよい。把持部および把持部近傍の部位の破損をより確実に防止するという観点からは、把持部から伸びる補強部材２４は、好ましくは、長手方向におけるバックシート２３の全長の１／３以上（より好ましくは、全長の半分以上であり、さらに好ましくは、全長の２／３以上）に亘る。
【００４２】
吸収性物品１では、把持部が、吸収性物品１の前方部２０１または後方部２０３の角部１１１（すなわち、バックシート２３の長手方向における一方の端部の角部）とされることにより、着用者の姿勢に関わらず、必要に応じて着用者の身体の一部を少し持ち上げるだけで把持部を容易に把持して吸収性物品１を着用者の身体の下から引っ張り出すことができる。
【００４３】
ところで、吸収性物品の把持部は、必ずしも吸収性物品の角部１１１とされる必要はなく、例えば、吸収性物品が着用者から取り外される際に長手方向に沿って引っ張り出される場合には、長手方向の一方の端部である前方部２０１に、図３に示す吸収性物品１ａのように、長手方向に突出する２つの部位（以下、「突出部１１２」という。）が把持部として設けられてもよく、図４に示す吸収性物品１ｂのように、長手方向に突出する１つの突出部１１２ａが把持部として設けられてもよい。突出部１１２，１１２ａは、ホットメルト接着剤等により接合されたトップシート２１およびバックシート２３（図２参照）により形成される。
【００４４】
図３に示すように、吸収性物品１ａの幅方向に隣接する２つの突出部１１２はそれぞれ、本体部２の幅の約半分の幅を有する略半円状の部位である。吸収性物品１ａでは、前方部２０１の２つの突出部１１２から後方部２０３に向かって長手方向に平行に伸びる２つの補強部材２４が設けられる。また、吸収性物品１ｂの突出部１１２ａは、図４に示すように、本体部２の幅にほぼ等しい幅を有する略半円状の部位である。吸収性物品１ｂでは、本体部２の幅方向のおよそ中央にて前方部２０１の突出部１１２ａから後方部２０３に向かって長手方向に平行に伸びる補強部材２４が設けられる。
【００４５】
吸収性物品１ａ，１ｂの補強部材２４は、吸収性物品１の補強部材２４と同様に、バックシート２３と吸収コア２２との間に配置され、バックシート２３に直接的に重ねられて接合される。また、補強部材２４の好ましい幅や厚さ、材質等も吸収性物品１の補強部材２４と同様である。
【００４６】
吸収性物品１ａ，１ｂでは、前方部２０１において長手方向に突出する突出部１１２，１１２ａが把持部とされることにより、把持部を容易に把持することができる。また、吸収性物品１ａ，１ｂの外縁部１１から把持部を容易かつ速やかに識別することができる。このように、その形状等により容易に認識できる把持部が設けられる場合は、把持部には目印が設けられなくてもよい。したがって、補強部材２４を透明や半透明、あるいは、バックシート２３等と同色である白色のシート部材とすることができ、吸収性物品１ａ，１ｂの製造コストを低減することができる。なお、吸収性物品１ａ，１ｂでは、把持部である突出部１１２，１１２ａは、前方部２０１に代えて後方部２０３に設けられてもよく、前方部２０１および後方部２０３の双方に設けられてもよい。
【００４７】
以上、本発明の実施の形態について説明してきたが、本発明は上記実施の形態に限定されるものではなく、様々な変更が可能である。
【００４８】
例えば、吸収性物品１では、２つの補強部材２４とバックシート２３との間に他のシートが設けられ、補強部材２４が当該他のシートを介してバックシート２３に間接的に重ねられて接合されてもよい。また、補強部材２４は、バックシート２３の外面（すなわち、着用者とは反対側の面）に直接的または間接的に重ねられて接合されてもよい。
【００４９】
吸収性物品１では、把持部である角部１１１において、トップシート２１やサイドシート３、または、バックシート２３に視認可能な目印（例えば、図形や文字）が印刷されてもよい。この場合、補強部材２４を透明や半透明、あるいは、バックシート２３等と同色である白色のシート部材とすることができ、吸収性物品１の製造コストを低減することができる。また、目印は視認可能なものには限定されず、例えば、手触りにて判別可能な面ファスナのような部材が把持部に貼付されてもよい。
【００５０】
上記実施の形態に係る吸収性物品では、把持部は必ずしも長手方向の端部に設けられる必要はなく、例えば、中間部２０２の側端部が把持部とされてもよい。把持部は、必ずしもトップシート２１またはサイドシート３とバックシート２３とが接合されて形成される必要はなく、例えば、吸収性物品１において、バックシート２３がトップシート２１およびサイドシート３の周囲へと広がっており、バックシート２３の角部等が把持部とされてもよい。また、吸収性物品１ａ，１ｂの把持部である突出部１１２，１１２ａもバックシート２３のみにより形成されてもよい。
【００５１】
上述の吸収性物品の構造は、補助吸収具以外の吸収性物品（テープタイプやパンツタイプの使い捨ておむつ等）に適用されてもよい。例えば、トップシート、吸収コアおよびバックシートにより形成された略矩形の吸収体がパンツ型の外層シートの内側に接合されたパンツタイプの使い捨ておむつが交換される際には、外層シートの両側部が破られて使い捨ておむつが前後に展開され、外装シートの角部等が把持されて使い捨ておむつが着用者の身体の下から引っ張り出される。このような使い捨ておむつに吸収性物品１の構造が適用される場合は、外装シートの角部等の把持部から少なくとも吸収体の吸収コアの下面と重なる位置まで伸びる補強部材が、外層シート、および、外層シートに接合されたバックシートに接合される。この場合、バックシートおよび外装シートが、外縁部に把持部を有する防水シートとなる。
【符号の説明】
【００５２】
１，１ａ，１ｂ    吸収性物品
１１    外縁部
２１    トップシート
２２    吸収コア
２３    バックシート
２４    補強部材
１１１    角部
１１２，１１２ａ    突出部
【図１】
2011010790.tif 000003
【図２】
2011010790.tif 000004
【図３】
2011010790.tif 000005
【図４】
2011010790.tif 000006